(57)【要約】【課題】  音楽再生中に着信があっても、イヤフォン等を外さなくてよくする。【解決手段】  ヘッドフォン１０のスピーカ２２と、音楽再生装置１２のＲ出力との間には、携帯端末１４の接近に応じて、音楽再生装置１２のＲ出力の音量を調節する音量調節装置２４が接続する。音量調節装置２４には、ＲＦＩＤタグリーダ２６が接続する。ＲＦＩＤタグリーダ２６は、携帯端末１４に付着されたＲＦＩＤタグ１６を検出すると、音量調節装置２４は、ＲＦＩＤタグリーダ２６の出力に従い、音楽再生装置１２のＲ出力の音量を下げる。【選択図】  図１
2010246136.tif 000002
【特許請求の範囲】
【請求項１】
第１及び第２の音声入力手段（Ｌ，Ｒ）と、
第１及び第２のスピーカ（２０，２２）と、
当該第１の音声入力手段（Ｌ）の入力音声信号を第１のスピーカ（２０）に接続する手段と、
当該第２の音声入力手段（Ｒ）の入力音声信号を増幅して第２のスピーカ（２２）に供給する可変利得増幅器（３６）と、
音声出力機能を有する携帯端末（１４，１５０）の接近を検出する接近検出手段（２６，１５２）であって、当該携帯端末（１４）に付着されるＲＦＩＤタグ（１６）を検出するＲＦＩＤタグリーダ（２６）を有する接近検出手段と、
当該接近検出手段の、当該携帯端末の接近を示す検出結果に従い、当該可変利得増幅器の利得を低減させる制御装置（３４）
とを具備することを特徴とする音声出力装置。
【請求項２】
当該制御装置が、当該接近検出手段で検出される携帯端末の当該ＲＦＩＤタグが予め登録されたものである場合に、当該携帯端末の接近を示す検出結果に従い、当該可変利得増幅器の利得を低減させることを特徴とする請求項１に記載の音声出力装置。
【発明の詳細な説明】
【技術分野】
【０００１】
本発明は、ヘッドフォン又はイヤフォンのような携帯される音声出力装置に関し、より具体的には、耳からスピーカ部を離す必要無しに携帯端末からの通話音声を聞くことのできる音声出力装置に関する。
【背景技術】
【０００２】
ヘッドフォンやイヤフォンでは、外界の音が、部分的に漏洩することはあるにしても、遮断される。最近では、ほとんど外界音が聞こえないほどに遮音性能の高いものが製品化されている。この種の音声出力装置は、出先で携帯型の音楽再生装置の再生音楽を聴くのに利用される。
【発明の概要】
【発明が解決しようとする課題】
【０００３】
携帯電話の普及により、音楽視聴中に着信があることがよくある。携帯音楽再生装置の再生音声をヘッドフォン又はイヤフォンで聞いている状態で、携帯電話に着信すると、相手からの音声を聞くためには、ヘッドフォン等を耳から離さなければならない。遮音性の悪いイヤフォンでも、少なくとも携帯音楽再生装置出力をミュートするか、電源をオフにしなければならない。
【０００４】
本発明は、このような面倒な操作無しで、携帯端末の相手からの音声を聞くことができる音声出力装置を提示することを目的とする。
【課題を解決するための手段】
【０００５】
本発明に係る音声出力装置は、第１及び第２の音声入力手段と、第１及び第２のスピーカと、当該第１の音声入力手段の入力音声信号を第１のスピーカに接続する手段と、当該第２の音声入力手段の入力音声信号を増幅して第２のスピーカに供給する可変利得増幅器と、音声出力機能を有する携帯端末の接近を検出する接近検出手段であって、当該携帯端末に付着されるＲＦＩＤタグを検出するＲＦＩＤタグリーダを有する接近検出手段と、当該接近検出手段の、当該携帯端末の接近を示す検出結果に従い、当該可変利得増幅器の利得を低減させる制御装置とを具備することを特徴とする。
【発明の効果】
【０００６】
本発明によれば、携帯音楽再生装置の再生音楽などを聴いている状態で、携帯端末に着信しても、携帯音楽再生装置の片方のチャネルの音声出力を自動で低減するので、面倒な操作無しで、通信相手の音声を聞くことができる。
【図面の簡単な説明】
【０００７】
【図１】本発明の第１実施例と音楽再生装置及び携帯端末との関係を示す概略構成図である。
【図２】音量調節回路２４の概略構成ブロック図である。
【図３】本発明の第２実施例と音楽再生装置及び携帯端末との関係を示す概略構成図である。
【図４】音量調節回路１２４の概略構成ブロック図である。
【図５】本発明の第３実施例と音楽再生装置及び携帯端末との関係を示す概略構成図である。
【図６】音量調節回路１２４ａの概略構成ブロック図である。
【発明を実施するための形態】
【０００８】
以下、図面を参照して、本発明の実施例を詳細に説明する。
【実施例１】
【０００９】
図１は、本発明の一実施例であるヘッドフォン１０と、音楽再生装置１２と、携帯端末１４との関係を示す概略構成図である。携帯端末１４は、例えば、携帯電話器であり、通話相手との会話のためのマイク１４ａとスピーカ１４ｂを具備する。また、携帯端末１４には、ヘッドフォン１０のスピーカ２２への接近を検出する目的でＲＦＩＤタグ１６が接着されている。
【００１０】
ヘッドフォン１０は、ステレオに対応する２つのスピーカ２０，２２を有する。一方のスピーカ２０は、音楽再生装置１２のステレオ音声の一方の出力（図示例では、Ｌ信号）に接続する。他方のスピーカ２２と音楽再生装置１２のＲ出力との間には、携帯端末１４の接近に応じて、音楽再生装置１２のＲ出力の音量を調節する音量調節装置２４が接続する。勿論、スピーカ２０にも、音量調節装置２４と同様の機能の音量調節装置を接続しても良い。音量調節装置２４をどちらのスピーカ２０，２２に接続するかは、利用者が、どちらの耳で携帯端末１４からの音声を聞きたいかによる。この点で、音量調節装置２４は、スピーカ２２から取り外し可能であると便利である。
【００１１】
音量調節装置２４には、ＲＦＩＤタグリーダ２６が接続する。ＲＦＩＤタグリーダ２６は、携帯端末１４に接着されたＲＦＩＤタグ１６を検出するために設けられる。ＲＦＩＤタグリーダ２６は、数ｃｍの距離にタグ１６が近づくと、これを検出するように設定されている。
【００１２】
図２は、音量調節装置２４の概略構成ブロック図を示す。音量調節装置２４は、音楽再生装置１２のＲ出力信号が入力する音声入力端子３０を具備する。ＲＦＩＤタグリーダ２６の出力、即ち読み取り結果は、制御回路３４に印加される。
【００１３】
音楽再生装置１２から音声入力端子３０に入力した音声信号は、可変利得増幅器３６を介してスピーカ２２に供給される。
【００１４】
制御回路３４は、ＲＦＩＤタグリーダ２６の出力に従い、下記のように可変利得増幅器３６の利得を制御する。携帯端末１４がスピーカ２２から数ｃｍ以上、離れている場合には、制御装置３４は、音楽再生装置１２からの再生音声が適切な音量でスピーカ２２から出力されるように可変利得増幅器３６の利得を制御する。
【００１５】
これに対し、携帯端末１４が着呼し、ユーザが通話開始ボタンを押して、携帯端末１４をスピーカ２２のそばの耳に近づけたとする。勿論、相手からの音声が携帯端末１４のスピーカ１４ｂから音声として出力される。ＲＦＩＤタグリーダ２６は、携帯端末１４に接着されたＲＦＩＤタグ１６を検出し、そのＩＤを制御装置３４に供給する。
【００１６】
制御装置３４は、ＲＦＩＤタグリーダ２６からのＩＤ情報の入力に従い、可変利得増幅器３６の利得をゼロにするか又は、音楽再生装置１２の再生音楽が通話相手からの音声を聞くのに邪魔にならない程度に小さくする。これにより、利用者は単に、携帯端末１４のスピーカ１４ｂをスピーカ２２のある耳に近づけるだけで、音声再生装置１２の再生音量が絞られて、携帯端末１４の通話相手からの音声を聞くことができる。
【００１７】
このような作用を特定の携帯端末１４に限定したい場合、携帯端末１４の付着するＲＦＩＤタグ１６のＩＤを予め制御装置３４に記憶しておけばよい。制御装置３４は、予め記憶されたＩＤがＲＩＦＩＤタグリーダ２６から供給される場合に、上述の通り、可変利得増幅器３６の利得を制御する。
【００１８】
ＲＦＩＤタグ１６とＲＦＩＤタグリーダ２６は、所定距離以内への接近を検知する近接センサの一例として説明したものであり、その他の近接センサを使用できることはいうまでもない。
【実施例２】
【００１９】
図３は、本発明の第２実施例におけるヘッドフォン１１０と、音楽再生装置１１２と、携帯端末１１４との関係を示す概略構成図である。携帯端末１１４は、例えば、携帯電話機であり、通話相手との会話のためのマイク１１４ａとスピーカ１１４ｂを具備する。また、携帯端末１１４には、ヘッドフォン１１０のスピーカ１２２への接近を検出する目的でＲＦＩＤタグ１１６が接着されている。
【００２０】
ヘッドフォン１１０は、ステレオに対応する２つのスピーカ１２０，１２２を有する。一方のスピーカ１２０は、音楽再生装置１１２のステレオ音声の一方の出力（図示例では、Ｌ信号）に接続する。他方のスピーカ１２２と音楽再生装置１１２のＲ出力との間には、携帯端末１１４の接近に応じて、音楽再生装置１１２のＲ出力の音量を調節する音量調節装置１２４が接続する。音量調節装置１２４は更に、携帯端末１１４からの音声を取り込みスピーカ１２２に供給する機能を具備する。勿論、スピーカ１２０にも、音量調節装置１２４と同様の機能の音量調節装置を接続しても良い。音量調節装置２４をどちらのスピーカ１２０，１２２に接続するかは、利用者が、どちらの耳で携帯端末１１４からの音声を聞きたいかによる。この点で、音量調節装置１２４は、スピーカ１２２から取り外し可能であると便利である。
【００２１】
音量調節装置１２４には、ＲＦＩＤタグリーダ１２６と、マイク１２８が接続する。ＲＦＩＤタグリーダ１２６は、携帯端末１１４に接着されたＲＦＩＤタグ１１６を検出するために設けられ、マイク１２８は、接近した携帯端末１１４のスピーカ１１４ｂからの音声を取り込むために設けられる。ＲＦＩＤタグリーダ１２６は、数ｃｍの距離にタグ１１６が近づくと、これを検出するように設定されている。
【００２２】
図４は、音量調節装置１２４の概略構成ブロック図を示す。音量調節装置１２４は、音楽再生装置１１２のＲ出力信号が入力する音声入力端子１３０と、マイク１２８が接続するマイク入力端子１３２を具備する。ＲＦＩＤタグリーダ１２６の出力、即ち読み取り結果は、制御回路１３４に印加される。
【００２３】
音楽再生装置１１２から音声入力端子１３０に入力した音声信号は、可変利得増幅器１３６に入力する。マイク１２８の出力音声信号は、マイク入力端子１３２を介して可変利得増幅器１３８に入力する。ミキサ１４０は、可変利得増幅器１３６，１３８の出力音声信号を混合し、混合した音声信号をスピーカ１２２に出力する。
【００２４】
制御回路１３４は、ＲＦＩＤタグリーダ１２６の出力に従い、下記のように可変利得増幅器１３６，１３８の利得を制御する。携帯端末１１４がスピーカ１２２から数ｃｍ以上、離れている場合には、制御装置１３４は、可変利得増幅器１３８の利得をゼロにし、音楽再生装置１１２からの再生音声が適切な音量でスピーカ１２２から出力される程度に、可変利得増幅器１３６の利得を上げる。
【００２５】
これに対し、携帯端末１１４が着呼し、ユーザが通話開始ボタンを押して、携帯端末１１４をスピーカ１２２に近づけたとする。このとき、相手からの音声が携帯端末１１４のスピーカ１１４ｂから音声として出力される。ＲＦＩＤタグリーダ１２６は、携帯端末１１４に接着されたＲＦＩＤタグ１１６を検出し、そのＩＤを制御装置１３４に供給する。
【００２６】
制御装置１３４は、ＲＦＩＤタグリーダ１２６からのＩＤ情報の入力に従い、可変利得増幅器１３８の利得を上げ、可変利得増幅器１３６の利得を下げる。即ち、制御装置１３４は、可変利得増幅器１３６の利得を、ゼロにするか又は、音楽再生装置１１２の再生音楽が通話相手からの音声を聞くのに邪魔にならない程度に小さくする。逆に、制御装置１３４は、携帯端末１１４のスピーカ１１４ｂから出力されマイク１２８で拾われた音声がスピーカ１２６から明瞭に聞こえる程度に、可変利得増幅器１３８の利得を上げる。これにより、音声再生装置１１２の再生音量が絞られ、利用者は単に、携帯端末１１４をスピーカ１２２に近づけるだけで自動的に、携帯端末１１４の通話相手からの音声をスピーカ１２２で聞くことができる。
【００２７】
このような作用を特定の携帯端末１１４に限定した場合、携帯端末１１４に付着するＲＦＩＤタグ１１６のＩＤを予め制御装置１３４に記憶しておけばよい。制御装置１３４は、予め記憶されたＩＤがＲＩＦＩＤタグリーダ１２６から供給される場合に、上述の通り、可変利得増幅器１３８の利得を上げ、可変利得増幅器１３６の利得を下げる。
【００２８】
ＲＦＩＤタグ１１６とＲＦＩＤタグリーダ１２６は、所定距離以内への接近を検知する近接センサの一例として説明したものであり、その他の近接センサを使用できることはいうまでもない。
【実施例３】
【００２９】
本発明の第３実施例を説明する。図５は、全体の概略構成図を示し、図６は、音量調節装置１２４ａの概略構成ブロック図を示す。図３及び図４に示す実施例と同じ構成要素には同じ符号を付してある。
【００３０】
携帯端末１５０は、通話のためのマイク１５０ａ及びスピーカ１５０ｂ以外に、通信状態を示す光信号を発生する発光素子（例えば、発光ダイオード）１５０ｃを具備する。ヘッドフォン１１０ａの音量調節装置１２４ａには、ＲＦＩＤタグリーダ１２６の代わりに、受光素子１５２を接続する。
【００３１】
本実施例では、携帯端末の接近を検出する手段として、ＲＦＩＤタグ１６，１１６とＲＦＩＤタグリーダ２６，１２６の代わりに、発光素子１５０ｃと受光素子１５２を用いる。
【００３２】
本実施例の変更部分を説明する。携帯端末１５０の発光素子１５０ｃは、通話状態で、点灯又は点滅し、若しくは、携帯端末１５０ａの固有識別情報を搬送する光信号を発生する。受光素子１５２は、発光素子１５０ｃからの光を受光し、電気信号に変換して音量調節装置１２４ａの制御装置１３４ａに供給する。制御装置１３４ａは、受光素子１５２の出力に応じて、制御装置１３４と同様に可変利得増幅器１３６，１３８を制御する。
【００３３】
即ち、受光素子１５２の出力電気信号レベルが所定値未満の場合、制御装置１３４aは、可変利得増幅器１３８の利得をゼロにし、音楽再生装置１１２からの再生音声が適切な音量でスピーカ１２２から出力される程度に、可変利得増幅器１３６の利得を上げる。これに対し、受光素子１５２の出力電気信号レベルが所定値以上の場合、制御装置１３４ａは、可変利得増幅器１３８の利得を上げ、可変利得増幅器１３６の利得を下げる。
【００３４】
特定の携帯端末１５０に対して音量調節装置１２４ａを動作させたい場合には、発光素子１５０ｃは、携帯端末１５０を特定する識別信号を搬送する光信号を発生する。受光素子１５２は、発光素子１５０ｃからの光信号を電気信号に変換し、制御装置１３４ａに供給する。制御装置１３４ａは、受光素子１５２の出力信号が、予め登録された特定の携帯端末の識別信号を搬送する場合に限り、可変利得増幅器１３８の利得を上げ、可変利得増幅器１３６の利得を下げる。
【００３５】
本実施例でも、第２実施例の場合と同様に、利用者は単に、携帯端末１５０をスピーカ１２２に近づけるだけで自動的に、携帯端末１５０の通話相手からの音声をスピーカ１２２で聞くことができる。
【００３６】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００３７】
１０：ヘッドフォン
１２：音楽再生装置
１４：携帯端末
１４ａ：マイク
１４ｂ：スピーカ
１６：ＲＦＩＤタグ
２０，２２：スピーカ
２４：音量調節装置
２６：ＲＦＩＤタグリーダ
３０：音声入力端子
３４：制御装置
３６：可変利得増幅器
１１０，１１０ａ：ヘッドフォン
１１２：音楽再生装置
１１４：携帯端末
１１４ａ：マイク
１１４ｂ：スピーカ
１１６：発光素子
１２０，１２２：スピーカ
１２４，１２４ａ：音量調節装置
１２６：ＲＦＩＤタグリーダ
１２８：マイク
１３０：音声入力端子
１３２：マイク入力端子
１３４，１３４ａ：制御装置
１３６，１３８：可変利得増幅器
１４０：ミキサ
１５０：携帯端末
１５０ａ：マイク
１５０ｂ：スピーカ
１５０ｃ：発光素子
１５２：受光素子
【図１】
2010246136.tif 000003
【図２】
2010246136.tif 000004
【図３】
2010246136.tif 000005
【図４】
2010246136.tif 000006
【図５】
2010246136.tif 000007
【図６】
2010246136.tif 000008